【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器、ＵＥ、とサービング基地局との間で通信することと、
時間変動干渉のレポートに基づいて前記ＵＥをハンドオフするかどうか、前記ＵＥが時間変動干渉に遭遇することを予測されているかどうか、時間変動干渉を取り扱う前記ＵＥの能力、または前記時間変動干渉によってどのサブフレームが影響を受けるのかを決定することと
を備え、前記時間変動干渉は、時間的に変化するＵＥへのＵＥの干渉である、方法。
【請求項２】
前記時間変動干渉は、サブフレームのサブセットにのみ現れる、請求項１に記載の方法。
【請求項３】
前記レポートは、少なくとも１つの制限された測定レポートを備える、請求項２に記載の方法。
【請求項４】
前記制限された測定レポートは、前記時間変動干渉を経験しない時間／周波数リソースのサブセットに基づく、請求項３に記載の方法。
【請求項５】
前記時間変動干渉を取り扱うための前記ＵＥの能力、観測された時間変動干渉、または予測された時間変動干渉に少なくとも部分的に基づく制限された測定を使用してレポートするように前記ＵＥを構成することをさらに備える、請求項３に記載の方法。
【請求項６】
前記少なくとも１つの制限された測定レポートは、前記時間変動干渉を経験することを予測されないサブフレームに対応する少なくとも１つのレポートを備える、請求項３に記載の方法。
【請求項７】
ＵＥへのＵＥの干渉を経験することを予測されない前記サブフレームは、基地局間のバックホールメッセージ、基地局での測定値、または、近隣セルの構成を識別する前記ＵＥからのメッセージによって少なくとも部分的に識別される、請求項６に記載の方法。
【請求項８】
ＵＥへのＵＥの干渉を経験するＵＥのための範囲拡大を無効にすることをさらに備える、請求項３に記載の方法。
【請求項９】
アイドルモードの間に生じる測定のための、制限された測定レポートを受信することをさらに備える、請求項３に記載の方法。
【請求項１０】
前記決定することは、前記時間変動干渉のデューティサイクルにさらに基づく、請求項３に記載の方法。
【請求項１１】
アップリンク許可を含むサブフレームが前記時間変動干渉によって影響を受けたかどうかに少なくとも部分的に基づいて前記ＵＥをハンドオフすることを決定することをさらに備える、請求項３に記載の方法。
【請求項１２】
前記ＵＥが時間変動干渉に遭遇することを予測されているかどうかを決定することをさらに備え、前記決定することは、観測された時間変動干渉を示すシグナリングを受信すること、または、時間変動測定レポートを有意に受信することを備える、請求項１に記載の方法。
【請求項１３】
ワイヤレス通信のための装置であって、
ユーザ機器、ＵＥ、とサービング基地局との間で通信するための手段と、
時間変動干渉のレポートに基づいて前記ＵＥをハンドオフするかどうか、前記ＵＥが時間変動干渉に遭遇することを予測されているかどうか、時間変動干渉を取り扱う前記ＵＥの能力、または前記時間変動干渉によってどのサブフレームが影響を受けるのかを決定するための手段と
を備え、ここにおいて、前記時間変動干渉は、時間的に変化するＵＥへのＵＥの干渉である、装置。
【請求項１４】
前記時間変動干渉は、サブフレームのサブセットにのみ現れる、請求項１３に記載の装置。
【請求項１５】
ワイヤレスネットワーク内における通信のためのコンピュータプログラムプロダクトであって、
本願請求項１〜１２のいずれか１項にしたがった方法を実行するために、その上に記録されたプログラムコードを有する非一時的コンピュータ可読媒体を備えるコンピュータプログラムプロダクト。
【手続補正２】
【補正対象書類名】明細書
【補正対象項目名】００９５
【補正方法】変更
【補正の内容】
【００９５】
[00108]本開示の先の説明は、当業者が本開示を行なうまたは使用することを可能にするために提供される。本開示への様々な変更は、当業者にとって容易に明らかであろう、また、ここで定義される一般的な原理は、本開示の範囲または精神から逸脱することなく他の変更に適用されうる。したがって、本開示は、ここで説明される例および設計に限定するように意図されておらず、ここで開示される原理および新規の特徴と一致して幅広い範囲が与えられるべきである。
以下に本願発明の当初の特許請求の範囲に記載された発明を付記する。
［Ｃ１］
ワイヤレス通信の方法であって、
ユーザ機器（ＵＥ）とサービング基地局との間で通信することと、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定することと
を備える方法。
［Ｃ２］
前記時間変動干渉は、サブフレームのサブセットにのみ現れる、
Ｃ１に記載の方法。
［Ｃ３］
前記時間変動干渉は、ＵＥへのＵＥの干渉である、
Ｃ２に記載の方法。
［Ｃ４］
前記レポートは、少なくとも１つの制限された測定レポートを備える、
Ｃ２に記載の方法。
［Ｃ５］
前記制限された測定レポートは、前記時間変動干渉を経験しない時間／周波数リソースのサブセットに少なくとも部分的に基づく、
Ｃ４に記載の方法。
［Ｃ６］
前記少なくとも１つの制限された測定レポートは、チャネル状態レポート、チャネル品質インジケータ（ＣＱＩ）レポート、基準信号受信電力（ＲＳＲＰ）レポート、基準信号受信品質（ＲＳＲＱ）レポート、または、受信強度信号インジケータ（ＲＳＳＩ）を備える、
Ｃ４に記載の方法。
［Ｃ７］
前記時間変動干渉を取り扱うための前記ＵＥの能力、観測された時間変動干渉、または予測された時間変動干渉に少なくとも部分的に基づく制限された測定を使用してレポートするように前記ＵＥを構成することをさらに備える、
Ｃ４に記載の方法。
［Ｃ８］
前記少なくとも１つの制限された測定レポートは、前記時間変動干渉を経験することを予測されないサブフレームに対応する少なくとも１つのレポートを備える、
Ｃ４に記載の方法。
［Ｃ９］
ＵＥへのＵＥの干渉を経験することを予測されない前記サブフレームは、基地局間のバックホールメッセージ、基地局での測定値、または、近隣セルの構成を識別する前記ＵＥからのメッセージによって少なくとも部分的に識別される、
Ｃ８に記載の方法。
［Ｃ１０］
前記制限された測定レポートは、サブフレームの少なくとも３つの異なるタイプに対応する、
Ｃ４に記載の方法。
［Ｃ１１］
ＵＥへのＵＥの干渉を経験するＵＥのための範囲拡大を無効にすることをさらに備える、
Ｃ４に記載の方法。
［Ｃ１２］
アイドルモードの間に生じる測定のための、制限された測定レポートを受信することをさらに備える、
Ｃ４に記載の方法。
［Ｃ１３］
前記決定することは、前記時間変動干渉のデューティサイクルにさらに基づく、
Ｃ４に記載の方法。
［Ｃ１４］
アップリンク許可を含むサブフレームは、前記時間変動干渉によって影響を受けたかどうかに少なくとも部分的に基づく前記ＵＥをハンドオフすることを決定することをさらに備える、
Ｃ４に記載の方法。
［Ｃ１５］
前記ＵＥは、時間変動干渉に遭遇することを予測されているかどうかを決定することをさらに備え、前記決定することは、観測された時間変動干渉を示すシグナリングを受信すること、または、時間変動測定レポートを有意に受信することを備える、
Ｃ１に記載の方法。
［Ｃ１６］
ワイヤレス通信のための装置であって、
ユーザ機器（ＵＥ）とサービング基地局との間で通信するための手段と、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定するための手段と
を備える装置。
［Ｃ１７］
前記時間変動干渉は、サブフレームのサブセットにのみ現れる、
Ｃ１６に記載の装置。
［Ｃ１８］
前記時間変動干渉は、ＵＥへのＵＥの干渉である、
Ｃ１７に記載の装置。
［Ｃ１９］
前記レポートは、少なくとも１つの制限された測定レポートを備える、
Ｃ１７に記載の装置。
［Ｃ２０］
前記制限された測定レポートは、前記時間変動干渉を経験しない時間／周波数リソースのサブセットに少なくとも部分的に基づく、
Ｃ１９に記載の装置。
［Ｃ２１］
前記少なくとも１つの制限された測定レポートは、チャネル状態レポート、チャネル品質インジケータ（ＣＱＩ）レポート、基準信号受信電力（ＲＳＲＰ）レポート、基準信号受信品質（ＲＳＲＱ）レポート、または、受信強度信号インジケータ（ＲＳＳＩ）を備える、
Ｃ１９に記載の装置。
［Ｃ２２］
予測された時間変動干渉、観測された時間干渉変動、または前記時間変動干渉を取り扱う前記ＵＥの能力に少なくとも部分的に基づく制限された測定を使用してレポートするように前記ＵＥを構成するための手段をさらに備える、
Ｃ１９に記載の装置。
［Ｃ２３］
前記少なくとも１つの制限された測定レポートは、前記時間変動干渉を経験することを予測されないサブフレームに対応する少なくとも１つのレポートを備える、
Ｃ１９に記載の装置。
［Ｃ２４］
ＵＥへのＵＥの干渉を経験することを予測されない前記サブフレームは、基地局間のバックホールメッセージ、基地局での測定値、または、近隣セルの構成を識別する前記ＵＥからのメッセージによって少なくとも部分的に識別される、
Ｃ２３に記載の装置。
［Ｃ２５］
前記制限された測定レポートは、サブフレームの少なくとも３つの異なるタイプに対応する、
Ｃ１９に記載の装置。
［Ｃ２６］
ＵＥへのＵＥの干渉を経験するＵＥのための範囲拡大を無効にするための手段をさらに備える、
Ｃ１９に記載の装置。
［Ｃ２７］
アイドルモードの間に生じる測定のための、制限された測定レポートを受信するための手段をさらに備える、
Ｃ１９に記載の装置。
［Ｃ２８］
前記決定するための手段は、前記時間変動干渉のデューティサイクルにさらに基づく、
Ｃ１９に記載の装置。
［Ｃ２９］
アップリンク許可を含むサブフレームが前記時間変動干渉によって影響を受けたかどうかに少なくとも部分的に基づく前記ＵＥをハンドオフすることを決定するための手段をさらに備える、
Ｃ１９に記載の装置。
［Ｃ３０］
前記ＵＥが時間変動干渉に遭遇することを予測されているかどうかを決定するための手段をさらに備え、前記決定するための手段は、観測された時間変動干渉を示すシグナリングを受信すること、または、時間変動測定レポートを有意に受信するための手段を備える、
Ｃ１６記載の装置。
［Ｃ３１］
ワイヤレスネットワーク内における通信のためのコンピュータプログラムプロダクトであって、
その上に、記録されたプログラムコードを有する非一時的コンピュータ可読媒体を備え、前記プログラムコードは、
ユーザ機器（ＵＥ）とサービング基地局との間で通信するプログラムコードと、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定するプログラムコードと
を備えるコンピュータプログラムプロダクト。
［Ｃ３２］
ワイヤレス通信のための装置であって、
メモリと、
前記メモリに結合された少なくとも１つのプロセッサを備え、前記少なくとも１つのプロセッサは、
ユーザ機器（ＵＥ）とサービング基地局との間で通信することと、
時間変動干渉のレポートに少なくとも部分的に基づいて前記ＵＥをハンドオフするかどうか、前記ＵＥが時間変動干渉に遭遇することを予測されているかどうか、前記時間変動干渉を取り扱う前記ＵＥの能力、または前記時間変動干渉によってどのサブフレームが影響を受けるのかを決定することと
を行うように構成される装置。
［Ｃ３３］
ワイヤレス通信の方法であって、
特定のサブフレームへの測定を制限することを決定することと、
ユーザ機器（ＵＥ）によって前記特定のサブフレームの測定をレポートすることと
を備える方法。
［Ｃ３４］
前記特定のサブフレームは、測定期間内のサブフレームのサブセット上のみに干渉を引き起こす特定のソースから干渉が見えないサブフレームである、
Ｃ３３に記載の方法。
［Ｃ３５］
前記干渉は、前記特定のサブフレームの前記測定をレポートする前記ＵＥに接続されたサービング基地局とは異なる時分割複信（ＴＤＤ）構成を使用した近隣基地局に接続された第２のＵＥからによる、
Ｃ３４に記載の方法。
［Ｃ３６］
前記特定のサブフレームは、全てのアップリンク／ダウンリンク構成に共通のダウンリンクサブフレームを備える、
Ｃ３４に記載の方法。
［Ｃ３７］
前記特定のサブフレームは、既知の近隣セルアップリンク／ダウンリンク構成と既知のサービングセルアップリンク／ダウンリンク構成に共通のダウンリンクサブフレームを備える、
Ｃ３４に記載の方法。
［Ｃ３８］
前記特定のサブフレームは、サービング基地局によって構成された制限されたダウンリンクサブフレームを備える、
Ｃ３３に記載の方法。
［Ｃ３９］
前記特定のサブフレームは、低干渉を有するとして検出されたダウンリンクサブフレームを備える、
Ｃ３３に記載の方法。
［Ｃ４０］
前記決定することは、前記時間変動干渉を取り扱うＵＥの能力、前記ＵＥが前記時間変動干渉に遭遇することを予測されているかどうか、前記時間変動干渉のデューティサイクル、または前記時間変動干渉によって影響を受けたサブフレームに少なくとも部分的に基づく、
Ｃ３４に記載の方法。
［Ｃ４１］
前記決定することは、サブフレーム干渉を示すメトリックを測定することと、別のサブフレーム上の測定されたメトリックを比較することと、異なる測定されたメトリックを有するサブフレームとして制限されたサブフレームを選択することとを含む、
Ｃ３３に記載の方法。
［Ｃ４２］
前記測定は、マルチキャリアロングタームエボリューション（ＬＴＥ）システムの周波数間測定のために実行される、
Ｃ４１に記載の方法。
［Ｃ４３］
ワイヤレス通信のための装置であって、
特定のサブフレームへの測定を制限することを決定するための手段と、
ユーザ機器（ＵＥ）によって前記特定のサブフレームの測定をレポートするための手段と
を備える装置。
［Ｃ４４］
前記特定のサブフレームは、測定周期内のサブフレームのサブセットのみに干渉を引き起こす特定のソースから干渉に遭遇しないサブフレームである、
Ｃ４３に記載の装置。
［Ｃ４５］
前記干渉は、前記特定のサブフレームの前記測定をレポートする前記ＵＥに接続されたサービング基地局とは異なる時分割複信（ＴＤＤ）構成を使用した近隣基地局に接続された第２のＵＥによる、
Ｃ４４に記載の装置。
［Ｃ４６］
前記特定のサブフレームは、全てのアップリンク／ダウンリンク構成に共通するダウンリンクサブフレームを備える、
Ｃ４４に記載の装置。
［Ｃ４７］
前記特定のサブフレームは、既知の近隣セルアップリンク／ダウンリンク構成と既知のサービングセルアップリンク／ダウンリンク構成に共通のダウンリンクサブフレームを備える、
Ｃ４４に記載の装置。
［Ｃ４８］
前記特定のサブフレームは、サービング基地局によって構成された制限されたダウンリンクサブフレームを備える、
Ｃ４３に記載の装置。
［Ｃ４９］
前記特定のサブフレームは、低干渉を有するとして検出されたダウンリンクサブフレームを備える、
Ｃ４３に記載の装置。
［Ｃ５０］
決定するための前記手段は、前記時間変動干渉を取り扱うためにＵＥの能力、前記ＵＥは前記時間変動干渉に遭遇することを予測されているかどうか、前記時間変動干渉のデューティサイクル、または前記時間変動干渉によって影響を受けたサブフレームに少なくとも部分的に基づく、
Ｃ４４に記載の装置。
［Ｃ５１］
決定するための前記手段は、サブフレーム干渉を示すメトリックを測定するための手段と、別のサブフレーム上の測定されたメトリックを比較するための手段と、異なる測定されたメトリックを有するサブフレームとして制限されたサブフレームを選択するための手段とを含む、
Ｃ４３に記載の装置。
［Ｃ５２］
前記測定は、マルチキャリアロングタームエボリューション（ＬＴＥ）システムの周波数間測定のために実行される、
Ｃ５１に記載の装置。
［Ｃ５３］
ワイヤレスネットワーク内における通信のためのコンピュータプログラムプロダクトであって、
その上に、記録されたプログラムコードを有する非一時的コンピュータ可読媒体を備え、前記プログラムコードは、
特定のサブフレームへの測定を制限することを決定するプログラムコードと、
ユーザ機器（ＵＥ）によって前記特定のサブフレームの測定をレポートするプログラムコードと
を備えるコンピュータプログラムプロダクト。
［Ｃ５４］
ワイヤレス通信のための装置であって、
メモリと、
前記メモリに結合された少なくとも１つのプロセッサを備え、前記少なくとも１つのプロセッサは、
特定のサブフレームへの測定を制限することを決定することと、
ユーザ機器（ＵＥ）によって前記特定のサブフレームの測定をレポートすることと
を行うように構成される装置。
［Ｃ５５］
ワイヤレス通信の方法であって、
アイドルモード内で動作する、または周波数間測定を実行するユーザ機器（ＵＥ）のために、時間／周波数リソースの特定のセットへの測定を制限することを決定することと、
前記制限を示す情報を前記ＵＥへシグナリングすることと
を備える方法。
［Ｃ５６］
前記時間／周波数リソースの特定のセットは、サブフレームのセットを示す情報を備える前記シグナリングされた制限された測定情報と複数の前記サブフレームのセットとを備える、
Ｃ５５に記載の方法。
［Ｃ５７］
前記シグナリングされた制限された測定情報は、制限された測定が実行される時間／周波数リソースの関連したセットと１つまたは複数のキャリア周波数を備える、
Ｃ５５に記載の方法。
［Ｃ５８］
前記制限された測定情報の前記シグナリングすることは、ＵＥ固有、セル固有、またはページングエリア内の全てのセルに共通である、
Ｃ５５に記載の方法。
［Ｃ５９］
マスター情報ブロック（ＭＩＢ）、またはシステム情報ブロック（ＳＩＢ）に少なくとも部分的に基づく前記制限された測定情報のシグナリングすることをさらに備える、
Ｃ５５に記載の方法。
［Ｃ６０］
無線リソース制御（ＲＲＣ）シグナリングを使用した時間／周波数リソースの前記特定のセットをシグナリングすることをさらに備える、
Ｃ５５に記載の方法。
［Ｃ６１］
ワイヤレス通信のための装置であって、
アイドルモード内で動作する、または周波数間測定を実行するユーザ機器（ＵＥ）のために、時間／周波数リソースの特定のセットへの測定を制限することを決定するための手段と、
前記制限を示す情報を前記ＵＥへのシグナリングするための手段と
を備える装置。
［Ｃ６２］
前記時間／周波数リソースの特定のセットは、サブフレームのセットを示す情報を備える前記シグナリングされた制限された測定情報と複数の前記サブフレームのセットとを備える、
Ｃ６１に記載の装置。
［Ｃ６３］
前記シグナリングされた制限された測定情報は、制限された測定が実行される時間／周波数リソースの関連したセットと１つまたは複数のキャリア周波数を備える、
Ｃ６１に記載の装置。
［Ｃ６４］
前記制限された測定情報の前記シグナリングは、ＵＥ固有、セル固有、またはページングエリア内の全てのセルに共通である、
Ｃ６１に記載の装置。
［Ｃ６５］
マスター情報ブロック（ＭＩＢ）、またはシステム情報ブロック（ＳＩＢ）に少なくとも部分的に基づく前記制限された測定情報をシグナリングするための手段をさらに備える、
Ｃ６１に記載の装置。
［Ｃ６６］
無線リソース制御（ＲＲＣ）シグナリングを使用した時間／周波数リソースの前記特定のセットをシグナリングするための手段をさらに備える、
Ｃ６１に記載の装置。
［Ｃ６７］
ワイヤレスネットワーク内における通信のためのコンピュータプログラムプロダクトであって、
その上に、記録されたプログラムコードを有する非一時的コンピュータ可読媒体を備え、前記プログラムコードは、
アイドルモード内で動作する、または周波数間測定を実行するユーザ機器（ＵＥ）のために、時間／周波数リソースの特定のセットへの測定を制限することを決定するプログラムコードと、
前記制限を示す情報を前記ＵＥへシグナリングするプログラムコードと
を備えるコンピュータプログラムプロダクト。
［Ｃ６８］
ワイヤレス通信のための装置であって、
メモリと、
前記メモリに結合された少なくとも１つのプロセッサを備え、前記少なくとも１つのプロセッサは、
アイドルモード内で動作する、または周波数間測定を実行するユーザ機器（ＵＥ）のために、時間／周波数リソースの特定のセットへの測定を制限することを決定することと、
前記制限を示す情報を前記ＵＥへシグナリングすることと
を行うように構成される装置。
［Ｃ６９］
ワイヤレス通信の方法であって、
アイドルモード内で動作する、または周波数間測定を実行するユーザ機器のために、時間／周波数リソースの特定のセットへの測定を制限することと、
前記時間／周波数リソースの特定のセットの測定をレポートすることと
を備える方法。
［Ｃ７０］
ワイヤレス通信のための装置であって、
アイドルモード内で動作する、または周波数間測定を実行するユーザ機器のために、時間／周波数リソースの特定のセットへの測定を制限するための手段と、
前記時間／周波数リソースの特定のセットの測定をレポートするための手段と
を備える装置。
［Ｃ７１］
ワイヤレスネットワーク内における通信のためのコンピュータプログラムプロダクトであって、
その上に、記録されたプログラムコードを有する非一時的コンピュータ可読媒体を備え、前記プログラムコードは、
アイドルモード内で動作する、または周波数間測定を実行するユーザ機器のために、時間／周波数リソースの特定のセットへの測定を制限するプログラムコードと、
前記時間／周波数リソースの特定のセットの測定をレポートするプログラムコードと
を備えるコンピュータプログラムプロダクト。
［Ｃ７２］
ワイヤレス通信のための装置であって、
メモリと、
前記メモリに結合された少なくとも１つのプロセッサを備え、前記少なくとも１つのプロセッサは、
アイドルモード内で動作する、または周波数間測定を実行するユーザ機器のために、時間／周波数リソースの特定のセットへの測定を制限することと、
時間／周波数リソースの前記特定のセットの測定をレポートすることと
を行うように構成される装置。